(57)【要約】【課題】  容易に自由な情報を画像データに付加する。【解決手段】  オーダーシートにはタイトル候補４０３を表示するためのタイトルエリア４０１と、画像データを表示するための画像エリア４０２が設けられ、タイトルエリア４０１には、あらかじめ用意されたタイトル候補の文字列４０３がユニークな番号を付されて表示され、さらにユーザーが新たに追加したいタイトルの文字列を書き込むための新規タイトルスペース４０５が設けられる。  画像エリア４０２には画像データのサムネイルイメージ４０６が配列され、ユーザはサムネイルイメージ４０６を参照しつつ、画像データに適合したタイトル候補を選択し得る。従って、タイトル候補に画像データに適合するものが存在すれば、ユーザはタイトルを作成する必要はなく、タイトル設定は極めて容易である。【選択図】  図５
2005277819.tif 000002
【特許請求の範囲】
【請求項１】
画像データを入力する入力手段と、
前記入力手段から入力された画像データのサムネイルイメージを生成する手段と、
複数のタイトル候補を格納する手段と、
前記サムネイルイメージと、前記タイトル候補とが記録されるとともに、前記サムネイルイメージと前記タイトル候補とを関連付けるための記述を記入するための表示が記録されたオーダーシートをプリントする手段と、
前記プリントされたオーダーシートをＯＣＲ処理する手段と、
前記ＯＣＲ処理の結果に基いて前記記述を解析して、前記サムネイルイメージと前記タイトル候補とを関連付ける手段と、
前記タイトル候補を前記サムネイルイメージに対応する画像データのタイトルとして出力する出力手段と、
を備えた画像記録装置。
【請求項２】
画像データを入力する入力手段と、
前記入力手段から入力された画像データのサムネイルイメージを生成する手段と、
前記サムネイルイメージが記録されるとともに、前記サムネイルイメージのタイトルを記入するための表示が記録されたオーダーシートをプリントする手段と、
前記プリントされたオーダーシートをＯＣＲ処理する手段と、
前記ＯＣＲ処理の結果に基いて前記記述を解析して、前記サムネイルイメージと前記タイトルとを関連付ける手段と、
前記タイトルを前記サムネイルイメージに対応する画像データのタイトルとして出力する手段と、
を備えた画像記録装置。
【請求項３】
画像データと前記画像データに付されたタイトルを入力する入力手段と、
前記入力手段から入力された画像データのサムネイルイメージを生成する手段と、
複数のタイトル候補を格納する手段と、
前記サムネイルイメージと、前記タイトルとが記録されるとともに、前記タイトルに替えて前記サムネイルイメージを前記タイトル候補に関連付けるための記述を記入するための表示が記録されたオーダーシートをプリントする手段と、
前記プリントされたオーダーシートをＯＣＲ処理する手段と、
前記ＯＣＲ処理の結果に基いて前記記述を解析して、前記サムネイルイメージと前記タイトルとの関連を解消し、かつ前記サムネイルイメージと前記タイトル候補とを関連付ける手段と、
前記タイトル候補を前記サムネイルイメージに対応する画像データのタイトルとして出力する手段と、
を備えた画像記録装置。
【請求項４】
画像データを入力する入力手段と、
前記入力手段から入力された画像データのサムネイルイメージを生成する手段と、
複数のタイトル候補を格納する手段と、
前記サムネイルイメージと、前記タイトル候補とが記録されるとともに、前記サムネイルイメージと前記タイトル候補とを関連付けるための記述を記入するための表示、および前記タイトル候補を削除するための記述を記入するための表示が記録されたオーダーシートをプリントする手段と、
前記プリントされたオーダーシートをＯＣＲ処理する手段と、
前記ＯＣＲ処理の結果に基いて前記関連付けのための記述を解析して、前記サムネイルイメージと前記タイトル候補とを関連付け、かつ前記削除するための記述を解析して前記タイトル候補を削除する手段と、
前記タイトル候補を前記サムネイルイメージに対応する画像データのタイトルとして出力するとともに、前記タイトル候補の削除を出力する手段と、
を備えた画像記録装置。
【請求項５】
前記オーダーシートには前記サムネイルイメージが記録される画像エリアと、前記タイトル候補が記録されるタイトルエリアとが設けられることを特徴とする請求項１、３または４に記載の画像記録装置。
【請求項６】
前記オーダーシートには前記サムネイルイメージが記録される画像エリアと、前記タイトルを記入するための表示が記録されたタイトルエリアとが設けられることを特徴とする請求項２記載の画像記録装置。
【請求項７】
前記画像データはタイトルを含め得るタグを有し、前記画像データの前記タイトルは、前記画像データの前記タグに書き込まれることを特徴とする請求項１乃至６のいずれかに記載の画像記録装置。
【請求項８】
画像データを入力するステップと、
前記入力手段から入力された画像データのサムネイルイメージを生成するステップと、
複数のタイトル候補を取得するステップと、
オーダーシートに前記サムネイルイメージと、前記タイトル候補とを記録するステップと、
前記オーダーシートに、前記サムネイルイメージと前記タイトル候補とを関連付けるための記述を記入するための表示を記録するステップと、
前記オーダーシートをＯＣＲ処理するステップと、
前記ＯＣＲ処理の結果に基いて前記記述を解析して、前記サムネイルイメージと前記タイトル候補とを関連付けるステップと、
前記タイトル候補を前記サムネイルイメージに対応する画像データのタイトルとして出力するステップと、
を備えた画像記録方法。
【請求項９】
画像データを入力するステップと、
前記入力手段から入力された画像データのサムネイルイメージを生成するステップと、
複数のタイトル候補を取得するステップと、
オーダーシートに前記サムネイルイメージを記録するステップと、
前記オーダーシートに、前記サムネイルイメージのタイトルを記入するための表示を記録するステップと、
前記オーダーシートをＯＣＲ処理するステップと、
前記ＯＣＲ処理の結果に基いて、前記サムネイルイメージと前記タイトルとを関連付けるステップと、
前記タイトルを前記サムネイルイメージに対応する画像データのタイトルとして出力するステップと、
を備えた画像記録方法。
【請求項１０】
画像データを前記画像データに付されたタイトルを入力するステップと、
前記入力手段から入力された画像データのサムネイルイメージを生成するステップと、
複数のタイトル候補を取得するステップと、
オーダーシートに前記サムネイルイメージおよび前記タイトルを記録するステップと、
前記オーダーシートに前記タイトルに替えて前記サムネイルイメージを前記タイトル候補に関連付けるための記述を記入するための表示を記録するステップと、
前記オーダーシートをＯＣＲ処理するステップと、
前記ＯＣＲ処理の結果に基いて、前記サムネイルイメージと前記タイトルとの関連を解消し、かつ前記サムネイルイメージと前記タイトル候補とを関連付けるステップと、
前記タイトル候補を前記サムネイルイメージに対応する画像データのタイトルとして出力するステップと、
を備えた画像記録方法。
【請求項１１】
画像データを入力するステップと、
前記入力手段から入力された画像データのサムネイルイメージを生成するステップと、
複数のタイトル候補を取得するステップと、
オーダーシートに前記サムネイルイメージと、前記タイトル候補とを記録するステップと、
前記オーダーシートに、前記サムネイルイメージと前記タイトル候補とを関連付けるための記述を記入するための表示を記録するステップと、
前記オーダーシートに、前記タイトル候補を削除するための記述を記入するための表示を記録するステップと、
前記オーダーシートをＯＣＲ処理するステップと、
前記削除するための記述を解析して前記タイトル候補を削除するステップと、
前記ＯＣＲ処理の結果に基いて前記記述を解析して、前記サムネイルイメージと前記タイトル候補とを関連付けるステップと、
前記タイトル候補を前記サムネイルイメージに対応する画像データのタイトルとして出力するステップと、
を備えた画像記録方法。
【請求項１２】
請求項８乃至１１のいずれかに記載の画像記録方法をコンピュータに実行させるプログラムコードを含むコンピュータ実行可能なプログラム。
【請求項１３】
請求項１２記載のコンピュータ実行可能なプログラムが格納されたコンピュータ読み取り可能な記憶媒体。
【発明の詳細な説明】
【技術分野】
【０００１】
本発明は、画像記録装置および画像記録方法に関する。
【背景技術】
【０００２】
デジタル画像データの管理方法として、ＤＣＦ規格等、画像の付加情報をタグに格納するフォーマットが提案されている（例えば特許文献１）。ＤＣＦ規格のタグには、タイトル（ＩｍａｇｅＤｅｓｃｒｉｐｔｉｏｎ）またはユーザーコメント（ＵｓｅｒＣｏｍｍｅｎｔ）が含まれ、いずれかのタグにコメントを格納して、画像データの特徴を明示し得る。
【０００３】
写真の画像データファイルの整理等において、タイトルは分類の指標となり、例えば、「ハワイ旅行」という文字列を含むタイトルの画像データファイルを「ハワイ旅行」のフォルダに格納し、「結婚式」という文字列を含むタイトルの画像データファイルを「結婚式」のフォルダに格納することにより、画像データファイルの画像特徴に基いた分類、管理を効率的に実行し得る。
【０００４】
一方、ＤＳＣ（デジタルスチルカメラ）の普及により、一般ユーザが日常的にデジタル画像データを取り扱う機会が増えており、保有画像データの増加にともなって、より効率的な画像データファイルの整理、分類が必要となっており、ＤＣＦ規格等の有効活用が求められている。
【０００５】
【特許文献１】特開２００２−１１６９４６号公報
【発明の開示】
【発明が解決しようとする課題】
【０００６】
一般に、ＤＳＣは日付情報や撮影条件等の客観的情報を画像データに付加する機能は備えているが、タイトルのような、ユーザの主観に基く情報を付与することはできない。このため、タイトル等の情報を付加するには、ＤＳＣからＰＣに画像データを取り込み、ＰＣ上で情報付加の操作を行う必要があるが、ＰＣによるタイトル等の入力は、自由度が高い反面、煩雑な操作を要する。また、プリンタに直接接続して画像ファイルをプリントするＤＳＣが急激に普及しており、ＰＣが存在しない環境でＤＳＣが使用されることも多く、タイトル等の入力には対応できない。
【０００７】
本発明はこのような従来の問題点を解消すべく創案されたもので、容易に自由な情報を画像データに付加することを目的とする。
【発明の効果】
【０００８】
本発明によれば、画像データに自由な情報を容易に付与し得る。
【課題を解決するための手段】
【０００９】
本発明に係る画像記録装置は、画像データを入力する入力手段と、前記入力手段から入力された画像データのサムネイルイメージを生成する手段と、複数のタイトル候補を格納する手段と、前記サムネイルイメージと、前記タイトル候補とが記録されるとともに、前記サムネイルイメージと前記タイトル候補とを関連付けるための記述を記入するための表示が記録されたオーダーシートをプリントする手段と、前記プリントされたオーダーシートをＯＣＲ処理する手段と、前記ＯＣＲ処理の結果に基いて前記記述を解析して、前記サムネイルイメージと前記タイトル候補とを関連付ける手段と、前記タイトル候補を前記サムネイルイメージに対応する画像データのタイトルとして出力する出力手段とを備える。これによって、画像データに自由な情報を容易に付与し得る。
【００１０】
本発明に係る画像記録装置は、画像データを入力する入力手段と、前記入力手段から入力された画像データのサムネイルイメージを生成する手段と、前記サムネイルイメージが記録されるとともに、前記サムネイルイメージのタイトルを記入するための表示が記録されたオーダーシートをプリントする手段と、前記プリントされたオーダーシートをＯＣＲ処理する手段と、前記ＯＣＲ処理の結果に基いて前記記述を解析して、前記サムネイルイメージと前記タイトルとを関連付ける手段と、前記タイトルを前記サムネイルイメージに対応する画像データのタイトルとして出力する手段とを備える。これによって、画像データに自由な情報を容易に付与し得る。
【００１１】
本発明に係る画像記録装置は、画像データと前記画像データに付されたタイトルを入力する入力手段と、前記入力手段から入力された画像データのサムネイルイメージを生成する手段と、複数のタイトル候補を格納する手段と、前記サムネイルイメージと、前記タイトルとが記録されるとともに、前記タイトルに替えて前記サムネイルイメージを前記タイトル候補に関連付けるための記述を記入するための表示が記録されたオーダーシートをプリントする手段と、前記プリントされたオーダーシートをＯＣＲ処理する手段と、前記ＯＣＲ処理の結果に基いて前記記述を解析して、前記サムネイルイメージと前記タイトルとの関連を解消し、かつ前記サムネイルイメージと前記タイトル候補とを関連付ける手段と、前記タイトル候補を前記サムネイルイメージに対応する画像データのタイトルとして出力する手段とを備える。これによって、画像データに付与する情報を容易に修正し得る。
【００１２】
本発明に係る画像記録装置は、画像データを入力する入力手段と、前記入力手段から入力された画像データのサムネイルイメージを生成する手段と、複数のタイトル候補を格納する手段と、前記サムネイルイメージと、前記タイトル候補とが記録されるとともに、前記サムネイルイメージと前記タイトル候補とを関連付けるための記述を記入するための表示、および前記タイトル候補を削除するための記述を記入するための表示が記録されたオーダーシートをプリントする手段と、前記プリントされたオーダーシートをＯＣＲ処理する手段と、前記ＯＣＲ処理の結果に基いて前記関連付けのための記述を解析して、前記サムネイルイメージと前記タイトル候補とを関連付け、かつ前記削除するための記述を解析して前記タイトル候補を削除する手段と、前記タイトル候補を前記サムネイルイメージに対応する画像データのタイトルとして出力するとともに、前記タイトル候補の削除を出力する手段とを備える。これによって、画像データに自由な情報を容易に付与し、あるいは削除し得る。
【００１３】
本発明に係る画像記録方法は、画像データを入力するステップと、前記入力手段から入力された画像データのサムネイルイメージを生成するステップと、複数のタイトル候補を取得するステップと、オーダーシートに前記サムネイルイメージと、前記タイトル候補とを記録するステップと、前記オーダーシートに、前記サムネイルイメージと前記タイトル候補とを関連付けるための記述を記入するための表示を記録するステップと、前記オーダーシートをＯＣＲ処理するステップと、前記ＯＣＲ処理の結果に基いて前記記述を解析して、前記サムネイルイメージと前記タイトル候補とを関連付けるステップと、前記タイトル候補を前記サムネイルイメージに対応する画像データのタイトルとして出力するステップとを備える。これによって、画像データに自由な情報を容易に付与し得る。
【００１４】
本発明に係る画像記録方法は、画像データを入力するステップと、前記入力手段から入力された画像データのサムネイルイメージを生成するステップと、複数のタイトル候補を取得するステップと、オーダーシートに前記サムネイルイメージを記録するステップと、前記オーダーシートに、前記サムネイルイメージのタイトルを記入するための表示を記録するステップと、前記オーダーシートをＯＣＲ処理するステップと、前記ＯＣＲ処理の結果に基いて、前記サムネイルイメージと前記タイトルとを関連付けるステップと、前記タイトルを前記サムネイルイメージに対応する画像データのタイトルとして出力するステップとを備える。これによって、画像データに自由な情報を容易に付与し得る。
【００１５】
本発明に係る画像記録方法は、画像データを前記画像データに付されたタイトルを入力するステップと、前記入力手段から入力された画像データのサムネイルイメージを生成するステップと、複数のタイトル候補を取得するステップと、オーダーシートに前記サムネイルイメージおよび前記タイトルを記録するステップと、前記オーダーシートに前記タイトルに替えて前記サムネイルイメージを前記タイトル候補に関連付けるための記述を記入するための表示を記録するステップと、前記オーダーシートをＯＣＲ処理するステップと、前記ＯＣＲ処理の結果に基いて、前記サムネイルイメージと前記タイトルとの関連を解消し、かつ前記サムネイルイメージと前記タイトル候補とを関連付けるステップと、前記タイトル候補を前記サムネイルイメージに対応する画像データのタイトルとして出力するステップとを備える。これによって、画像データに付与する情報を容易に修正し得る。
【００１６】
本発明に係る画像記録方法は、画像データを入力するステップと、前記入力手段から入力された画像データのサムネイルイメージを生成するステップと、複数のタイトル候補を取得するステップと、オーダーシートに前記サムネイルイメージと、前記タイトル候補とを記録するステップと、前記オーダーシートに、前記サムネイルイメージと前記タイトル候補とを関連付けるための記述を記入するための表示を記録するステップと、前記オーダーシートに、前記タイトル候補を削除するための記述を記入するための表示を記録するステップと、
前記オーダーシートをＯＣＲ処理するステップと、前記削除するための記述を解析して前記タイトル候補を削除するステップと、前記ＯＣＲ処理の結果に基いて前記記述を解析して、前記サムネイルイメージと前記タイトル候補とを関連付けるステップと、前記タイトル候補を前記サムネイルイメージに対応する画像データのタイトルとして出力するステップとを備える。これによって、画像データに自由な情報を容易に付与し、あるいは削除し得る。
【発明を実施するための最良の形態】
【００１７】
次に、本発明に係る画像記録装置およびおよび画像記録方法の好適な実施例を図面に基いて説明する。
【実施例】
【００１８】
図１は本発明に係る画像記録装置の実施例の概観を示す斜視図、図２は図１の画像記録装置で内部を露出した状況を示す斜視図、図３は図１の画像記録装置のブロック図である。
【００１９】
図２および図３において、画像記録装置は原稿画像を読み取る入力部２０４を有し、入力部２０４は図１のブロック図では読取部１０８として示されている。原稿はＡＤＦ部２０１によって入力部２０４に順次送給され、読み取られる。読取部１０８は後述するオーダーシートの制御命令を読み取る際に使用され、ＡＤＦ部２０１は、オーダーシートの連続読取りに有効である。
【００２０】
画像記録装置には操作部２０２が設けられ、操作部２０２の操作によって所定の動作を行う。操作部２０２は図１の操作部１０４に対応する。
【００２１】
画像記録装置にはカードインタフェース２０３が設けられ、操作部２０２の所定の操作によって、ＤＳＣの記憶媒体であるメモリカード等から画像データを読み込み得る。カードインタフェース２０３は図１のカードインターフェース１０９に対応する。
【００２２】
図１において、操作部１０４、読取部１０８、カードインターフェース１０９はバス１１２に接続され、バス１１２にはＣＰＵ１００、ＲＯＭ１０１、ＲＡＭ１０２、不揮発ＲＡＭ１０３、表示部１０５、記録部１０６、画像処理部１０７、駆動部１１０、センサ部１１１が接続されている。
【００２３】
ＣＰＵ１００は、画像記録装置が備える様々な機能を制御し、操作部１０４の所定の操作に従い、ＲＯＭ１０１に記憶された画像処理のプログラムを実行する。
【００２４】
ＲＯＭ１０１には、画像記録装置の制御命令プログラム等が格納される。画像記録装置はＯＣＲ機能を備え、ＲＯＭ１０１にはＯＣＲ機能のためのアプリケーションも格納される。
【００２５】
読取部１０８は原稿画像を読み取り、赤（Ｒ）、緑（Ｇ）、青（Ｂ）各色のアナログ輝度データを出力する。読取部１０８はＣＣＤや密着型イメージセンサ（ＣＩＳ）によって原稿画像をアナログ輝度データに変換する。
【００２６】
画像処理部１０７は、カードインタフェース１０９から画像データが読み込まれたとき、必要に応じて、例えばＤＳＣのＹＣｂＣｒ等の色空間をＮＴＳＣ−ＲＧＢやｓＲＧＢ等の標準的なＲＧＢ色空間に変換する。
【００２７】
画像処理部１０７は、読み込まれた画像データのヘッダ情報に基づき、画像データを有効な画素数に解像度変換する等、アプリケーションに必要な様々な処理が施される。
【００２８】
さらに、画像処理部１０７は、後述する画像解析、サムネイル作成、サムネイル補正、オーダーシート解析、出力画像補正等の画像処理を実行し、それによって得られる画像データは、ＲＡＭ１０２に格納される。ＲＡＭ１０２に格納された画像データは、図２の記録部２０５に対応する図１の記録部１０６で記録するのに必要な所定量に達すると、記録部１０６による記録動作が実行される。
【００２９】
不揮発性ＲＡＭ１０２は、バッテリバックアップされたＳＲＡＭ等であり、画像記録装置の基本設定等の固有のデータや、後述するタイトル候補リストが記録される。
【００３０】
操作部１０４には、メモリカード等の記憶媒体に記憶された画像データを選択し、記録をスタートするためにフォトダイレクトプリントスタートキー、オーダーシートのプリントを実行するキー、オーダーシートの読み込みを実行するキー、モノクロあるいはカラーのコピーを実行するコピースタートキー、コピー解像度や画質等のモード指定を実行するモードキー、コピー動作等を停止するためのストップキー、コピー数を入力するテンキーや登録キー等が設けられる。これらキーの押下状態はＣＰＵ１００によって検出され、ＣＰＵ１００はキーの状態に応じて画像記録装置各部を制御する。
【００３１】
表示部１０５は、ドットマトリクスタイプの液晶表示部（ＬＣＤ）およびＬＣＤドライバを備え、ＣＰＵ１０１の制御に基づき、記憶媒体に記録されていた画像データのサムネイル表示等、各種表示を行う。
【００３２】
記録部１０６は、インクジェット方式のインクジェットヘッド、汎用ICなどによって構成され、ＣＰＵ１００の制御により、ＲＡＭ１０２に格納されている記録データを読み出し、ハードコピーとしてプリント出力する。
【００３３】
駆動部１１０は、上述した読取部１０８および記録部１０６それぞれの動作における、給排紙ローラを駆動するためのステッピングモータ、ステッピングモータの駆動力を伝達するギヤ、および、ステッピングモータを制御するドライバ回路などから構成される。
【００３４】
センサ部１１１は、記録紙幅センサ、記録紙有無センサ、原稿幅センサ、原稿有無センサおよび記録媒体検知センサ等を含み、ＣＰＵ１００は、これらセンサから得られる情報に基づき、原稿および記録紙の状態を検知する。
【００３５】
図４は、実施例の動作概要を示す全体ステップ図である。
【００３６】
図４において、画像記録装置は以下の各ステップによって画像記録を実行する。
【００３７】
ステップ１（画像データ取得ステップ３０１）：まずメモリカード３０４から画像データを取得し、その画像データに基づいてオーダーシート３０６をプリントアウトする。
【００３８】
メモリカード３０４には、ファイル一覧３０５に示すように、ＤＣＦ規格に準拠した画像ファイルが複数格納され、画像ファイルによっては、あらかじめ画像の概要を示すタイトル文字列が付与されている。タイトル文字列は、例えばＤＣＦ規格またはＥｘｉｆ規格に基き記録され、１バイトコードの文字列でであれば、タイトルタグに記録される。文字列が２バイト文字コードの場合は、ユーザーコメントタグに記録される。あらかじめタイトルが付加されていない画像には、タイトルタグやユーザーコメントタグは存在しない。
【００３９】
画像記録装置は、画像ファイルから対応するサムネイルを生成し、このサムネイルを所定のルールでレイアウトして、オーダーシート３０６をプリントアウトする。オーダーシート３０６は、ユーザーがサムネイル画像を確認しながら、適時画像のタイトルを追加、変更するために利用される。
【００４０】
ステップ２（オーダーシートマーキングステップ３０２）：ステップ１でプリントアウトされたオーダーシート３０５に、ユーザーが手動でマーキング３０７を施す。
【００４１】
ステップ３（オーダーシート読み取りステップ３０３）：ステップ２でマーキング３０７が記入されたオーダーシート３０８を入力部２０４によって読み取り、ＯＣＲ解析処理を行う。ＯＣＲ解析処理では、マーキングに基き、ユーザーが意図するタイトルの追加、または変更の処理を自動的に行う。
【００４２】
ＯＣＲ処理結果はメモリーカード３０９に書き込み、反映させる。メモリカード３０９に反映させる内容は、例えばファイル一覧３１０に示すように、タイトルが付加されていなかった画像ファイルに新たなタイトルを追加したり、タイトルを変更する等の処理である。
【００４３】
図４の処理では、ユーザは、プリントされたオーダーシートにマーキングして、そのオーダーシートを画像記録装置に読み込ませるだけで、任意の画像データにタイトル等を付加する処理を略自動で実行し得る。
【００４４】
なお、メモリカード３０４に格納された画像データはＤＣＦ規格に限定されるものではない。また、画像データのタイトルを記録するタグは、タイトルタグまたはユーザーコメントタグに限定されるものではなく、その他のタグにタイトルを示す文字列を記録してもよい。また、画像データを取得する記憶媒体はメモリカード３０４、３０９に限定されるものではなく、有線または無線によって接続されたＰＣのハードディスク等であってもよい。
【００４５】
図５は、オーダーシートのレイアウト例を示す図である。
【００４６】
オーダーシートは、先に説明したように、ユーザーがメモリカード３０４等の画像データファイルにタイトルを付与する際に必要な情報が記録されている。
【００４７】
オーダーシートには画像データのタイトル候補およびサムネイルイメージが表示され、ＯＣＲ処理によってタイトル候補を電子化でき、また画像データのインデックスプリントとして使用し得る。
【００４８】
図５において、オーダーシートにはタイトル候補４０３を表示するためのタイトルエリア４０１と、画像データを表示するための画像エリア４０２が設けられ、タイトルエリア４０１には、あらかじめ用意されたタイトル候補の文字列４０３がユニークな番号を付されて表示され、さらにユーザーが新たに追加したいタイトルの文字列を書き込むための新規タイトルスペース４０５が設けられる。
【００４９】
タイトル候補は、ＲＯＭ１０１あるいは不揮発ＲＡＭ１０３にあらかじめ記録されており、このタイトル候補が参照されて、タイトル文字列４０３がユニークな番号と対になってレイアウトされる。
【００５０】
一方、画像エリア４０２には画像データのサムネイルイメージ４０６が配列され、ユーザはサムネイルイメージ４０６を参照しつつ、画像データに適合したタイトル候補を選択し得る。従って、タイトル候補に画像データに適合するものが存在すれば、ユーザはタイトルを作成する必要はなく、タイトル設定は極めて容易である。
【００５１】
タイトルエリア４０１には、各タイトル候補を削除するための削除チェックボックス４０４が設けられ、削除チェックボックス４０４をマーキングすることによって、対応するタイトル文字列をタイトル候補リストから削除し得る。
【００５２】
なお、タイトル候補がＲＯＭ１０１に記録されている場合等、削除、変更不可の仕様であれば、削除用チェックボックス４０４は表示されない。
【００５３】
タイトルエリア４０１には、新規タイトルスペース４０５が設けられ、新規タイトルスペース４０５にはユニークな番号（図４では９１番以降の番号）が表示されている。ユーザが新規タイトルスペース４０５のいずれかの番号の後に文字列を書き込むと、ＯＣＲ処理により、その番号にタイトル文字列を登録し得る。
【００５４】
新規タイトルスペース４０５の構成は図４の構成に限定されるものではなく、登録可能なタイトル空きエリアすべてに新規タイトルを登録し得る構成であってもよい。例えば、タイトル候補をＳＲＡＭ１０３に保存する場合、保存するメモリエリアの容量によって登録可能な番号が増減する。
【００５５】
画像データに既にタイトルが付されているときは、そのタイトル４０７がサムネイルイメージ４０６に関連付けて表示される。さらにサムネイルイメージ４０６近傍には、画像データに付すタイトル候補の番号を入力するためのタイトル番号記入欄４０８が表示される。
【００５６】
例えば、図５の画像データＢに「ハワイにて」というタイトルを付与したいときには、タイトル候補４０３のリストから「ハワイにて」が割り振られたユニークな番号「７」を捜し、タイトル番号記入欄４０８に「０７」をマーキングする。
【００５７】
また、画像データＨに適合するタイトルがタイトル候補４０３に用意されていなかったときは、新規タイトルスペース４０５の例えば「９１」番号に、タイトル「釣り」等の文字列を書き込み、画像データＨのタイトル番号記入欄４０８には「９１」がマーキングされる。
【００５８】
また画像データＡに記録されているタイトル「僕の夏休み」を変更したいときには、タイトル番号記入欄４０８に新たなタイトル候補の番号をマーキングする。
【００５９】
以上のように、オーダーシートをマーキングすることで、ユーザーは任意の画像に適切なタイトルを付加することができる。
【００６０】
なお、（１）オーダーシートを複数ページとする構成、（２）（１）オーダーシートを複数ページとする構成において、タイトルエリア４０１は２ページ以降にレイアウトしない構成、（３）削除チェックボックス４０４を省略した構成、（４）新規タイトルスペース４０５を省略した構成等も採用可能である。
【００６１】
図６は、図４の全体ステップをより詳細に示すフローチャートである。以下の図４のステップ１〜３の詳細を説明する。
【００６２】
〔ステップ１〕
ステップＳ５００：まず、ユーザが画像記録装置に対して所定の操作を行うことにより、図５のオーダーシート３０８が作成/プリントされる。ステップＳ５００の詳細については図７で後述する。
【００６３】
ステップＳ５０１：オーダーシート３０８のプリントが正常終了したか否かを判断する。正常終了したときはステップＳ５０３に進み、正常終了しなかったときはステップＳ５０２に進む。
【００６４】
ステップＳ５０２：処理をエラー終了する。
【００６５】
〔ステップ２〕
ステップＳ５０３：ユーザによるオーダーシート３０８の記入（マーキング）が行われる。
【００６６】
〔ステップ３〕
ステップＳ５０４：ユーザがマーキングしたオーダーシート３０８が画像記録装置の原稿台（読取部１０８）にセットされ、所定の操作によって、オーダーシート３０８の読取/ＯＣＲ解析を行う。
【００６７】
ステップＳ５０５：ステップＳ５０４のＯＣＲ解析が正常終了したか否か判断する。正常終了したときはステップＳ５０７に進み、正常終了しなかったときはステップＳ５０６に進む。
【００６８】
ステップＳ５０６：処理をエラー終了する。
【００６９】
ステップＳ５０７：オーダーシート３０８に記入された情報によって、タイトル候補選択、タイトル削除、変更等が存在するか否かを判定する。
【００７０】
ステップＳ５０８：ステップＳ５０７でタイトル候補選択、タイトル削除、変更等が検出されたときは、メモリーカード３０９の情報を更新し、変更内容を反映させる。変更情報の反映についての詳細は図８を参照して後述する。
【００７１】
ステップＳ５０９：そのまま処理を終了する。
【００７２】
ステップＳ５１０：以上の説明で省略した、オーダーシート３０５にタイトルに関する制御以外の種々の制御命令を記入することが可能であり、そのような制御命令が定義されていたときに、ステップＳ５１０では制御命令の存否を判断する。制御命令が存在したときはステップＳ５１１に進み、制御命令が存在しなければそのまま処理を終了する。
【００７３】
ステップＳ５１１：ステップＳ５１０で検出された制御を実行し、処理を終了する。なお制御命令は、個々の画像データについて、プリントするか否か、回転をさせるか否かを設定する命令等である。
【００７４】
図７は、オーダーシートの作成／プリントの処理の詳細を示すフローチャートである。以下タイトルエリア４０１の処理と、画像エリア４０２の処理とに分けて説明する。
【００７５】
〔タイトルアリア〕
ステップＳ６００：まず、ＲＯＭ１０１、ＳＲＡＭ１０３等からタイトル候補リストが取得される。タイトル候補リストには、ユーザのタイトル入力を不要とするように、「旅行」、「結婚式」、「パパ」等、写真画像データのタイトルとして利用される確率が高いタイトルがあらかじめ登録されている。
【００７６】
なお、タイトル候補リストはメモリカード３０４内に格納することも可能であり、また有線または無線で接続されたＰＣのハードディスク等の外部のメモリエリアに格納してもよい。
【００７７】
なお本実施例では、画像記録装置のみがタイトル候補リストを使用しているが、画像記録装置以外のアプリケーションや装置が同じタイトル候補リストを利用してもよい。
【００７８】
図５で説明したように、ステップＳ６００で取得するタイトル候補リストの各タイトルにはユニークな番号を付与し、番号はオーダーシートにおいてタイトル文字列と関連付けてレイアウトする。ユーザーはその番号をサムネイルイメージに関連付けられたタイトル番号記入欄４０８にマーキングする。なお、番号は、タイトル候補リストの取得ごとに新たに割り振ってもよいし、タイトル候補リストにあらかじめ固定されて含まれていてもよい。
【００７９】
ステップＳ６０１：タイトル候補リストの取得に成功したか否かを判断する。タイトル候補リストの取得に成功したときは、ステップＳ６０２に進み、タイトル候補リストの取得に失敗したときは、ステップＳ６０３（エラー終了）に進む。
【００８０】
ステップＳ６０２：図４で説明したタイトルエリアにタイトル候補リストおよび対応するユニークな番号を表示する。
【００８１】
ステップＳ６０３：エラー終了する。
【００８２】
ステップＳ６０４：タイトル候補リストを格納するメモリエリアに、新たなタイトルを登録する空きエリアが存在するか否か判断する。空きエリアが存在したときはステップＳ６０５に進み、空きエリアが存在しなければステップＳ６０６にジャンプする。
【００８３】
ステップＳ６０５：タイトルエリア４０１において、ステップＳ６０２で表示したタイトル候補リストに続いて、空きエリアに対応したユニークな番号を表示する。
【００８４】
以上の処理でタイトルエリア４１０のレイアウトが完了する。続いて画像エリア４０２の処理に入る。
〔画像エリア〕
ステップＳ６０６：メモリーカード３０４から読み込んだ画像データファイルうちの１個について、サムネイルイメージをレイアウトする。画像データファイルがＤＣＦ規格に準拠している場合、画像データファイルに含まれるサムネイルイメージを、オーダーシートのサムネイルイメージとしてレイアウトする。
【００８５】
ステップＳ６０７：ステップＳ６０６に続いて、画像データファイルのタグにタイトルが含まれるか否か判断する。タグにタイトルが含まれていたときはステップＳ６０８に進み、タイトルが含まれていなかったときはステップＳ６１０に進む。
【００８６】
ステップＳ６０８：タイトルの文字列４０７およびタイトル番号記入欄４０８をサムネイルイメージ４０６に関連付けてレイアウトする。なお、タイトル文字列４０７の文字数は、オーダーシートのレイアウトによって、必要に応じて、特定の文字数に制限してもよい。また、タイトルタグとユーザーコメントタグの両方にコメント文字列が存在したり、いずれかのタグに複数の文字列が存在するときは、あらかじめ設定した優先順位によってタイトルを決定してもよい。
【００８７】
なお、タイトルの文字列４０７およびタイトル番号記入欄４０８の両者が表示された画像データにおいては、タイトル番号記入欄４０８によって新たなタイトルの番号を記入することによって、タイトルを変更し得る。
【００８８】
ステップＳ６０９：全ての画像データファイルのレイアウトが完了したか否か判断する。全ての画像データファイルのレイアウトが完了したときはステップＳ６１１に進み、完了していないときはステップＳ６０６に戻る。
【００８９】
ステップＳ６１０：画像データファイルにタイトルが付されていなければ、タイトル番号記入欄のみをレイアウトする。
【００９０】
なお、実施例では、オーダーシートに記入されるサムネイル以外の付加情報をタイトルのみとしたが、日付、画像番号等、その他の付加情報をレイアウトしてもよい。
【００９１】
ステップＳ６１１：オーダーシートをプリントし処理を終了する。
【００９２】
実施例では、すべてのレイアウトが完了した後にプリントを開始しているが、レイアウトが完了する前にプリント処理を開始してもよい。
【００９３】
オーダーシートのプリントが終了すると、図２のステップ２で説明したようにユーザによるオーダーシート３０６へのマーキングが行われる。
【００９４】
図８は、オーダーシート３０８から取得した情報をメモリーカード３０９に反映する処理の詳細を示すフローチャートである。以下タイトルエリア４０１の処理と、画像エリア４０２の処理とに分けて説明する。
【００９５】
〔タイトルエリア〕
ステップＳ７００：まず、オーダーシート３０６において削除チェックボックス４０４がマークされているか否か、すなわち削除すべきタイトルが存在するか否かを判断する。削除チェックボックス４０４のマーキングはＯＣＲ解析により検出され、削除すべきタイトル候補の番号が識別される。削除すべきタイトルが存在するときはステップＳ７０１に進み、存在しないときはステップＳ７０２にジャンプする。
【００９６】
ステップＳ７０１：削除すべきタイトルが存在するときは、タイトル候補リストから、削除チェックボックス４０４で指定された番号のタイトル文字列を削除する。
【００９７】
なお、先に説明したように、タイトル候補リストがＲＯＭ１０１に格納されている場合等削除不可のときは、ステップＳ７００では常に削除タイトルなしと判断する。
【００９８】
ステップＳ７０２：新規タイトルスペース４０５に文字列が記入されているか否か、すなわち新規作成すべきタイトルが存在するか否か判断する。新規タイトルスペース４０５の文字列はＯＣＲ解析により検出され、追加すべきタイトル候補の番号とＯＣＲ解析により取得した文字列が識別される。
【００９９】
新規作成すべきタイトルが存在するときはステップＳ７０３に進み、存在しないときはステップＳ７０４に進む。
【０１００】
ステップＳ７０３：検出されたタイトルをタイトル候補リストの対応番号に新規追加する。なお、先に説明したように、タイトル候補リストがＲＯＭ１０１に格納されている場合等新規作成不可のときは、ステップＳ７０３では常に新規タイトルなしと判断する。
【０１０１】
以上の処理でタイトルエリア４１０のレイアウトが完了する。続いて画像エリア４０２の処理に入る。
〔画像エリア〕
ステップＳ７０４：タイトル４０７が付された画像データについてタイトル番号記入欄４０８に番号が記入されたか否か、すなわち画像データのタイトルを変更すべきか否かを判断する。タイトル番号記入欄４０８の番号はＯＣＲ解析によって検出される。
【０１０２】
タイトルを変更すべきときはステップＳ７０５に進み、変更を要しないときはステップＳ７０６にジャンプする。
【０１０３】
ステップＳ７０５：タイトル番号記入欄４０８の番号に該当するタイトル文字列をタイトル候補リストから取得し、ステップＳ７０６に進む。
【０１０４】
ステップＳ７０６：タイトルを変更すべき画像データファイルのタイトルタグまたはユーザーコメントタグに新たなタイトルを記録し、そのまま処理を終了する。なおタイトル変更が不要のときは、そのまま処理を終了する。
【０１０５】
以上のフローにより、オーダーシートにマーキングされたタイトルに関する情報を、オーダーシートを読み取ってＯＣＲ解析することにより自動的にメモリカード３０９内の画像ファイルのタイトルタグまたはユーザーコメントタグに反映することができる。
【０１０６】
なお以上の実施例はプリント機能およびＯＣＲ処理機能を備えた画像記録装置に関するものであったが、汎用コンピュータにプリンタおよびＯＣＲ処理装置を接続し、図６〜図８の処理を汎用コンピュ−タによって実行してもよい。
【０１０７】
またタグを含む画像データを記憶する記憶媒体はメモリカードに限定されるものではなく、ＦＤ、ＭＯ、ＣＤ−Ｒ／ＲＷ、ＤＶＤ−Ｒ／ＲＷ、ＨＤ等書き込み可能な任意の記憶媒体を使用できる。さらに、画像記録装置と記憶媒体はネットワークで接続されたものであってもよく、この場合記憶媒体にはサーバ等のコンピュータそのものも含まれる。
【図面の簡単な説明】
【０１０８】
【図１】本発明に係る画像記録装置の実施例の概観を示す斜視図である。（実施例）
【図２】図の画像記録装置で内部を露出した状況を示す斜視図である。（実施例）
【図３】図１の画像記録装置のブロック図である。（実施例）
【図４】実施例の動作概要を示す全体ステップ図である。（実施例）
【図５】オーダーシートのレイアウト例を示す図である。（実施例）
【図６】図４の全体ステップをより詳細に示すフローチャートである。（実施例）
【図７】オーダーシートの作成／プリントの処理の詳細を示すフローチャートである。（実施例）
【図８】オーダーシートから取得した情報をメモリーカードに反映する処理の詳細を示すフローチャートである。（実施例）
【符号の説明】
【０１０９】
２０１  ＡＤＦ
２０２  操作部
２０３  メモリーカードインターフェース
２０４  入力部
２０５  記録部
３０４  メモリーカード
３０６  オーダーシート
４０１  タイトルエリア
４０２  画像エリア
４０３  タイトル候補
４０４  削除チェックボックス
４０５  新規タイトルスペース
４０６  サムネイルイメージ
４０７  タイトル
４０８  サムネイルイメージ
【図１】
2005277819.tif 000003
【図２】
2005277819.tif 000004
【図３】
2005277819.tif 000005
【図４】
2005277819.tif 000006
【図５】
2005277819.tif 000007
【図６】
2005277819.tif 000008
【図７】
2005277819.tif 000009
【図８】
2005277819.tif 000010